(57)【要約】【課題】着地時に着用者の足にかかる負担を低減する、【解決手段】弾性材からなる上部ミッドソール３と、上部ミッドソール３に下方から接着された弾性材からなる下部ミッドソール５とを備えるソール構造１において、上部ミッドソール３に、第１突部３ｃを下部ミッドソール５側に向けて突設し、第１突部３ｃを下部ミッドソール５に対して移動可能に当接させる。【選択図】図６
2020044267.tif 000002
【特許請求の範囲】
【請求項１】
弾性材からなる上部ミッドソールと、前記上部ミッドソールに下方から接着された弾性材からなる下部ミッドソールとを備えるシューズ用ソール構造であって、
前記上部ミッドソール及び前記下部ミッドソールの少なくとも一方のミッドソールには、他方のミッドソール側に向けて突部が突設され、該突部の先端は、シューズの非着用状態で前記他方のミッドソールに当接していないか、又は前記他方のミッドソールに対して移動可能に当接し、
着地時に、前記突部の先端が前記他方のミッドソールに押し付けられることで該他方のミッドソールに対して該他方のミッドソールの表面に沿う方向に移動するように構成されていることを特徴とするソール構造。
【請求項２】
請求項１に記載のソール構造において、
前記突部は、先細形状であることを特徴とするソール構造。
【請求項３】
請求項１又は２に記載のソール構造において、
前記突部は複数形成され、前後方向に隣り合う突部は、前後方向に互いに間隔を空けていることを特徴とするソール構造。
【請求項４】
請求項１〜３のいずれか１項に記載のソール構造において、
前記突部は、着用者の踵部を支持する領域に形成されていることを特徴とするソール構造。
【請求項５】
請求項１〜４のいずれか１項に記載のソール構造において、
前記突部の前後方向の寸法は、左右方向の寸法よりも短いことを特徴とするソール構造。
【請求項６】
弾性材からなる上部ミッドソールと、前記上部ミッドソールの下方に接着又は一体に形成された弾性材からなる下部ミッドソールとを備えるシューズ用ソール構造であって、
前記上部ミッドソール及び前記下部ミッドソールの少なくとも一方のミッドソールには、屈曲するか又はくびれた変形予定部が突出方向中途部に形成された突部が他方のミッドソール側に向けて突設され、該突部の先端は、他方のミッドソールに密着しているか、接着されているか又は一体に形成されていることを特徴とするソール構造。
【請求項７】
請求項６に記載のソール構造において、
前記変形予定部は、後方に凹むように屈曲又はくびれていることを特徴とするソール構造。
【発明の詳細な説明】
【技術分野】
【０００１】
本発明は、弾性材からなる上部ミッドソールと、前記上部ミッドソールに下方から接着された弾性材からなる下部ミッドソールとを備えるシューズ用ソール構造に関する。
【背景技術】
【０００２】
特許文献１には、弾性材からなる上部ミッドソールと、前記上部ミッドソールに下方から接着された弾性材からなる下部ミッドソールとを備えるシューズ用ソール構造が開示されている。このソール構造では、上部ミッドソールに、突部を下部ミッドソール側に向けて突設し、該突部の先端を下部ミッドソールに密着させることで、着用者の荷重が前記突部を介して下部ミッドソールに分散されるようにしている。
【先行技術文献】
【特許文献】
【０００３】
【特許文献１】特許第４４６５０４０号公報
【発明の概要】
【発明が解決しようとする課題】
【０００４】
しかし、特許文献１では、上部ミッドソールの突部の先端が下部ミッドソールに密着しているので、着地時に着用者の荷重により上部ミッドソールの突部が下部ミッドソールに押し付けられたとき、突部が押し付け方向に圧縮変形するものの、突部の先端が下部ミッドソールに対して該下部ミッドソールの上面に沿う方向に移動しないので、衝撃エネルギーが十分吸収されず、着用者の足にかかる負担が大きくなっていた。
【０００５】
本発明は、かかる点に鑑みてなされたものであり、その目的とするところは、着地時に着用者の足にかかる負担を低減することにある。
【課題を解決するための手段】
【０００６】
上記の目的を達成するため、本発明の第１の形態は、弾性材からなる上部ミッドソールと、前記上部ミッドソールに下方から接着された弾性材からなる下部ミッドソールとを備えるシューズ用ソール構造であって、前記上部ミッドソール及び前記下部ミッドソールの少なくとも一方のミッドソールには、他方のミッドソール側に向けて突部が突設され、該突部の先端は、シューズの非着用状態で前記他方のミッドソールに当接していないか、又は前記他方のミッドソールに対して移動可能に当接し、着地時に、前記突部の先端が前記他方のミッドソールに押し付けられることで該他方のミッドソールに対して該他方のミッドソールの表面に沿う方向に移動するように構成されていることを特徴とする。
【０００７】
この第１の形態では、着地時に着用者の荷重により上部ミッドソールが下部ミッドソールに押し付けられると、突部がその先端を前記他方のミッドソールに対して該他方のミッドソールの表面に沿う方向に移動させて屈曲変形するとともに、押し付け方向に圧縮変形するので、突部を屈曲変形させることができない特許文献１の構成に比べ、衝撃エネルギーが効率的に吸収され、着用者の足にかかる負担が低減される。
【０００８】
第２の形態は、第１の形態において、前記突部は、先細形状であることを特徴とする。
【０００９】
この第２の形態では、突部が基端側に向かって徐々に太くなって圧縮変形しにくくなっているので、着地時に上部ミッドソールが下部ミッドソール側に下降する速度が徐々に低下し、良好な感触が得られる。
【００１０】
第３の形態は、第１又は第２の形態において、前記突部は複数形成され、前後方向に隣り合う突部は、前後方向に互いに間隔を空けていることを特徴とする。
【００１１】
この第３の形態では、前後方向に隣り合う突部の間に間隔を設けない場合に比べ、前後方向に荷重を移動させる歩行時及び走行時において、突部の前後方向への屈曲が隣接する突部に妨げられにくいので、上述したような着用者の足への負担低減効果がより確実に得られる。
【００１２】
第４の形態は、第１〜第３のいずれか１つの形態において、前記突部は、着用者の踵部を支持する領域に形成されていることを特徴とする。
【００１３】
この第４の形態では、踵部から着地する歩行時及び走行時において、着地時に着用者の荷重により突部がより確実に前記他方のミッドソールに押し付けられるので、上述したような着用者の足への負担低減効果がより確実に得られる。
【００１４】
第５の形態は、第１〜第４のいずれか１つの形態において、前記突部の前後方向の寸法は、左右方向の寸法よりも短いことを特徴とする。
【００１５】
この第５の形態では、突部が前後方向に屈曲しやすいので、着地時に突部をより確実に屈曲変形させることができ、上述したような着用者の足への負担低減効果がより確実に得られる。
【００１６】
第６の形態は、弾性材からなる上部ミッドソールと、前記上部ミッドソールの下方に接着又は一体に形成された弾性材からなる下部ミッドソールとを備えるシューズ用ソール構造であって、前記上部ミッドソール及び前記下部ミッドソールの少なくとも一方のミッドソールには、屈曲するか又はくびれた変形予定部が突出方向中途部に形成された突部が他方のミッドソール側に向けて突設され、該突部の先端は、他方のミッドソールに密着しているか、接着されているか又は一体に形成されていることを特徴とする。
【００１７】
この第６の形態では、着地時に着用者の荷重により上部ミッドソールが下部ミッドソールに押し付けられると、突部がその変形予定部を前記他方のミッドソールの表面に対して該表面に沿う方向に移動させて屈曲変形するので、突部を屈曲変形させることができない特許文献１の構成に比べ、衝撃エネルギーが効率的に吸収され、着用者の足にかかる負担が低減される。
【００１８】
第７の形態は、第６の形態において、前記変形予定部は、後方に凹むように屈曲又はくびれていることを特徴とする。
【００１９】
この第７の形態では、変形予定部が前記他方のミッドソールの表面に対して後方に移動しやすいので、前後方向に荷重を移動させる歩行時及び走行時において、着地時に突部をより確実に屈曲変形させることができ、上述したような着用者の足への負担低減効果がより確実に得られる。
【発明の効果】
【００２０】
本発明によると、着地時に着用者の足にかかる負担を低減できる。
【図面の簡単な説明】
【００２１】
【図１】図１は、本発明の実施形態１に係るソール構造の平面図である。
【図２】図２は、ソール構造を外甲側から見て示す側面図である。
【図３】図３は、図１のIII−III線に対応する上部ミッドソールの断面図である。
【図４】図４は、図１のIV−IV線に対応する上部ミッドソールの断面図である。
【図５】図５は、図１のＶ−Ｖ線における断面図である。
【図６】図６は、図１のVI−VI線における断面図である。
【図７】図７は、図１のVII−VII線における断面図である。
【図８】図８（ａ）は、実施形態２に係るソール構造の第１突部の正面図であり、図８（ｂ）は、実施形態２の変形例の図８（ａ）相当図であり、図８（ｃ）は、実施形態２の変形例の図８（ａ）相当図である。
【図９】図９（ａ）は、実施形態１の変形例に係るソール構造の第１突部の正面図であり、図９（ｂ）は、実施形態１の他の変形例の図９（ａ）相当図であり、図９（ｃ）は、実施形態１の他の変形例の図９（ａ）相当図であり、図９（ｄ）は、実施形態１の他の変形例の図９（ａ）相当図であり、図９（ｅ）は、実施形態１の他の変形例の図９（ａ）相当図である。
【発明を実施するための形態】
【００２２】
以下、本発明の実施形態を図面に基づいて詳細に説明する。以下の実施形態の説明は、本質的に例示に過ぎず、本発明、その適用物或いはその用途を制限することを意図するものではない。
【００２３】
（実施形態１）
図１〜図７は、着用者の足裏面を支持するための本発明の実施形態１に係るソール構造１を示す。このソール構造１にアッパー（図示せず）等が設けられたシューズは、例えばウォーキングシューズ、ランニングシューズ、インドア競技用シューズ、又は土や芝生の上で行われる球技用シューズ等として利用される。
【００２４】
以下、左足用シューズのソール構造１について説明するが、当該左足シューズと左右対称に右足用シューズを構成することができる。
【００２５】
また、以下の説明において、上方（上側）及び下方（下側）とはソール構造１の上下方向の位置関係を表し、前方（前側）及び後方（後側）とはソール構造１の前後方向の位置関係を表すものとする。
【００２６】
ソール構造１は、足裏面全体を支持する上部ミッドソール３を備えている。当該上部ミッドソール３の下面の外周領域には、下部ミッドソール５の上面の外周領域が接着されている。下部ミッドソール５の下面には、アウトソール７が下方から接着されている。上部ミッドソール３及び下部ミッドソール５は、軟質の弾性材で構成されている。具体的に、上部ミッドソール３及び下部ミッドソール５の材料としては、例えばエチレン−酢酸ビニル共重合体（ＥＶＡ）等の熱可塑性合成樹脂やその発泡体、ポリウレタン（ＰＵ）等の熱硬化性樹脂やその発泡体、ブタジエンラバーやクロロプレンラバー等のラバー素材やその発泡体などが適している。アウトソール７は、上部ミッドソール３及び下部ミッドソール５よりも高硬度の弾性材で構成されている。具体的に、アウトソール７の材料としては、例えばエチレン−酢酸ビニル共重合体（ＥＶＡ）等の熱可塑性樹脂、ポリウレタン（ＰＵ）等の熱硬化性樹脂、またはブタジエンラバーやクロロプレンラバー等のラバー素材が適している。
【００２７】
上部ミッドソール３の下面における下部ミッドソール５に接着される領域のうち、着用者の土踏まずと前後方向に対応する領域は、前後方向中央に向かって外甲側に膨出する膨出領域Ｒ１を構成している。したがって、上部ミッドソール３の下面における下部ミッドソール５に接着されない領域のうち、着用者の土踏まずと前後方向に対応する領域は、前後方向中央に向かって徐々に幅狭となる幅狭領域Ｒ２を構成している。
【００２８】
上部ミッドソール３は、当該上部ミッドソール３の上面を構成する主面部３ａを有している。該主面部３ａの左右両端部は左右外側に向かって上方に湾曲している一方、主面部３ａの左右両端部を除く部分は略平坦に形成されている。主面部３ａの下面における下部ミッドソール５に接着されない非接着領域Ｒ３のうち、着用者の踵部、中足部、及び前足部の外甲側を支持する領域の外周端部を除く領域には、第１凸所３ｂが前後方向に延びるように一体に突設されている。該第１凸所３ｂの突出高さＨ１（図３参照）は、前方に向かって徐々に低くなっている。該第１凸所３ｂの端面における着用者の踵部、及び中足部を支持する領域には、表面全体が湾曲面からなる山状の複数の第１突部３ｃが下部ミッドソール５側に向けて全体に亘って一体に突設されている。シューズ着地時に想定される荷重移動方向を示すロードパスラインＬｐと沿う方向に隣り合う第１突部３ｃは、ロードパスラインＬｐと沿う方向に互いに略１ｍｍの間隔Ｄを空けている。本実施形態で想定されるロードパスラインＬｐは若干湾曲しながら前後方向に延びているので、前後方向に隣り合う第１突部３ｃは、前後方向に互いに間隔を空けている。第１突部３ｃは、突出方向から見てロードパスラインＬｐと交差する方向に長い楕円形状をなしている。したがって、第１突部３ｃの前後方向の寸法Ｗ１は、左右方向の寸法Ｗ２よりも短くなっている。また、第１凸所３ｂの端面における第１突部３ｃ非突設領域、すなわち着用者の前足部を支持する領域には、表面全体が湾曲面からなる山状の複数の第２突部３ｄが下部ミッドソール５側に向けて全体に亘って一体に突設されている。前後方向に隣り合う第２突部３ｄは、互いに当接している。大部分の第２突部３ｄは、突出方向から見て略真円形状をなしている。第２突部３ｄの突出高さＨＴ２は、第１突部３ｃの突出高さＨＴ１よりも低く設定されている。具体的には、第１突部３ｃの突出高さＨＴ１は５〜６ｍｍに設定され、第２突部３ｄの突出高さＨＴ２は２〜３ｍｍに設定されている。また、主面部３ａの下面における前記非接着領域Ｒ３のうち、着用者の前足部の内甲側（拇指球）を支持する領域には、第２凸所３ｅが、前記第１凸所３ｂとの間に左右方向に間隔を空けて下方に向けて一体に突設されている。第２凸所３ｅの端面全体には、複数の第３突部３ｆが下部ミッドソール５側に向けて一体に突設されている。大部分の第３突部３ｆは、突出方向から見て略真円形状をなしている。第３突部３ｆの突出高さＨＴ３は、第１突部３ｃの突出高さＨＴ１よりも低く設定されている。突出方向から見た第３突部３ｆの大きさ（面積）の平均は、突出方向から見た第１突部３ｃ及び第２突部３ｄの大きさ（面積）の平均よりも大きく設定されている。第３突部３ｆの先端には、平坦面が形成されている。
【００２９】
下部ミッドソール５の上面における外周領域を除く領域、すなわち下部ミッドソール５の上面における上部ミッドソール３に接着されていない領域には、全体に亘って凹所５ａが形成されている。凹所５ａ底面における前後方向中央よりも後側には、下部ミッドソール５全体の略１／３程度の長さで前後方向に延びる長孔５ｂが貫通形成されている。
【００３０】
そして、上部ミッドソール３の第１凸所３ｂ及び第２凸所３ｅが、下部ミッドソール５の凹所５ａに収容されている。当該ソール構造１が設けられたシューズが着用されていない状態（非着用状態）で、上部ミッドソール３の第１突部３ｃの先端は、下部ミッドソール５の凹所５ａの底面に当接している。第１突部３ｃの先端は、下部ミッドソール５の凹所５ａの底面に当接しているが、密着していないので、下部ミッドソール５の凹所５ａの底面に対して該底面に沿う方向に相対的に移動可能になっている。一方、上部ミッドソール３の第２突部３ｄ及び第３突部３ｆの先端は、下部ミッドソール５の凹所５ａの底面と離間している。
【００３１】
上述したようなソール構造１が設けられたシューズを着用して前後方向に荷重を移動させて歩行又は走行する際に、踵部から着地すると、着用者の荷重により上部ミッドソール３が下部ミッドソール５に押し付けられ、上部ミッドソール３の第１突部３ｃの先端が下部ミッドソール５に押し付けられる。これにより、上部ミッドソール３の第１突部３ｃがその先端を下部ミッドソール５の上面に対して後方に移動させて屈曲変形するとともに、押し付け方向に圧縮変形する。これにより、突部を屈曲変形させることができない特許文献１の構成に比べ、衝撃エネルギーが効率的に吸収され、着用者の足にかかる負担が低減される。このとき、第１突部３ｃが基端側に向かって徐々に太くなって圧縮変形しにくくなっているので、着地により上部ミッドソール３が下部ミッドソール５側に下降する速度が徐々に低下する。したがって、良好な感触が得られる。また、前後方向に隣り合う第１突部３ｃの間に間隔を設けない場合に比べ、第１突部３ｃの前後方向への屈曲変形が隣接する第１突部３ｃに妨げられにくいので、上述したような着用者の足への負担低減効果をより確実に得られる。さらに、第１突部３ｃの前後方向の寸法Ｗ１が左右方向の寸法Ｗ２よりも短く設定されているので、第１突部３ｃが前後方向に屈曲しやすい。したがって、着地時に第１突部３ｃをより確実に屈曲変形させることができ、上述したような着用者の足への負担低減効果をより確実に得られる。
【００３２】
一方、着用者が前足部で地面を蹴り出すと、上部ミッドソール３の第２突部３ｄの先端が下部ミッドソール５に押し付けられ、着用者の蹴り出す力が上部ミッドソール３から下部ミッドソール５及びアウトソール７を介して地面に伝わる。第２突部３ｄ、及び第３突部３ｆの突出高さＨＴ２，ＨＴ３は、第１突部３ｃの突出高さＨＴ１よりも低く設定され、かつ非着用状態で第２突部３ｄ及び第３突部３ｆの先端は、下部ミッドソール５の凹所５ａの底面と離間しているので、第２突部３ｄ及び第３突部３ｆを第１突部３ｃと同じ突出高さＨＴ１にし、かつ非着用状態で下部ミッドソール５の凹所５ａの底面に当接するように形成した場合に比べ、第２突部３ｄ及び第３突部３ｆの突出方向の圧縮量は小さくなる。したがって、第２突部３ｄ及び第３突部３ｆの圧縮変形によるエネルギーのロスが抑制され、着用者の蹴り出す力が地面に十分に伝えられる。また、突出方向から見た第３突部３ｆの大きさ（面積）は、第１突部３ｃ及び第２突部３ｄよりも大きくなっているので、第１突部３ｃ及び第２突部３ｄと同程度の面積にした場合に比べ、着用者の拇指球で蹴り出す力が地面に伝わりやすい。また、第３突部３ｆの先端には、平坦面が形成されているので、先端を先細形状にした場合に比べ、着用者の拇指球で蹴り出す力が地面に伝わりやすい。
【００３３】
したがって、本実施形態１によると、第１突部３ｃの先端が曲面状に形成され、下部ミッドソール５に対して移動可能に当接しているので、第１突部３ｃの先端を平坦に形成して下部ミッドソール５に対して移動できないように密着させた場合に比べ、第１突部３ｃの先端と下部ミッドソール５との摩擦による異音が発生しにくい。
【００３４】
（実施形態２）
図８（ａ）は、本発明の実施形態２に係るソール構造１の第１突部３ｃを示す。本実施形態２では、第１突部３ｃが円柱状に形成され、第１突部３ｃの突出方向中央には、想定される荷重移動方向の反対方向に凹むように屈曲する変形予定部３ｇが形成されている。本実施形態２でも、若干湾曲しながら前後方向に延びるロードパスラインＬｐを想定しているので、変形予定部３ｇは、後方に凹むように屈曲している。したがって、第１突部３ｃの変形予定部３ｇよりも先端側は、上方に向かって後方に傾斜し、第１突部３ｃの変形予定部３ｇよりも基端側は、上方に向かって前方に傾斜している。また、第１突部３ｃの先端が平坦に形成されて下部ミッドソール５の凹所５ａの底面に密着している。
【００３５】
したがって、本実施形態２に係るソール構造１が設けられたシューズを着用して前後方向に荷重を移動させて歩行又は走行する際、踵部から着地すると、着用者の荷重により上部ミッドソール３が下部ミッドソール５に押し付けられ、第１突部３ｃがその変形予定部３ｇを下部ミッドソール５の上面に対して後方に移動させて屈曲変形する。したがって、第１突部３ｃを屈曲変形させることができない特許文献１の構成に比べ、衝撃エネルギーが効率的に吸収され、着用者の足にかかる負担が低減される。また、変形予定部３ｇが下部ミッドソール５の上面に対して後方に移動しやすいので、着地時に第１突部３ｃをより確実に屈曲変形させることができ、上述したような着用者の足への負担低減効果がより確実に得られる。
【００３６】
なお、上記実施形態１，２では、第１突部３ｃ、第２突部３ｄ、及び第３突部３ｆを上部ミッドソール３に下部ミッドソール５側に向けて突設したが、反対に、下部ミッドソール５に上部ミッドソール３側に向けて突設してもよい。
【００３７】
また、上記実施形態１，２では、第１突部３ｃを着用者の踵部、及び中足部を支持する領域に設けるとともに、第２突部３ｄ及び第３突部３ｆを着用者の前足部を支持する領域に設けたが、反対に、第２突部３ｄ及び第３突部３ｆを着用者の踵部、及び中足部を支持する領域に設けるとともに、第１突部３ｃを着用者の前足部を支持する領域に設けてもよい。これにより、前足部から着地して踵部で地面を蹴り出す歩行時及び走行時において、着地時の着用者の足への負担低減効果を得られるとともに、着用者の蹴り出す力を地面に十分に伝えることができる。
【００３８】
また、第１突部３ｃを内甲側に設けるとともに、第２突部３ｄ及び第３突部３ｆを第１突部３ｃよりも外甲側に設けてもよい。これにより、内甲側で着地して外甲側で蹴り出す競技や球技を行うときに、着地時の着用者の足への負担低減効果を得られるとともに、着用者の蹴り出す力を地面に十分に伝えることができる。また、反対に、第１突部３ｃを外甲側に設けるとともに、第２突部３ｄ及び第３突部３ｆを第１突部３ｃよりも内甲側に設けてもよい。これにより、外甲側で着地して内甲側で蹴り出す競技や球技を行うときに、着地時の着用者の足への負担低減効果を得られるとともに、着用者の蹴り出す力を地面に十分に伝えることができる。
【００３９】
また、上記実施形態１では、第１突部３ｃを表面全体が湾曲面からなる山状としたが、図９（ａ）〜図９（ｃ）に示すように、先端面だけが湾曲面で構成された略円錐形状としてもよい。また、図９（ｂ）に示すように、第１突部３ｃの突出方向中途部に、基端側の側面の傾斜が先端側の側面よりも大きくなるように屈折する箇所を設けてもよい。また、第１突部３ｃは、図９（ｄ）に示すように、複数の半球状の突起を基端側から先端側に向かって直径が小さくなるように積み重ねた形状としてもよいし、図９（ｅ）に示すように、複数の円板を基端側から先端側に向かって直径が小さくなるように積み重ねた形状としてもよい。
【００４０】
また、上記実施形態１では、シューズの非着用状態で、第１突部３ｃの先端が下部ミッドソール５の上面に当接するようにしたが、着地時に第１突部３ｃの先端が下部ミッドソール５に押し付けられて下部ミッドソール５に対して該下部ミッドソール５の上面（表面）に沿う方向に移動するように第１突部３ｃの形状、突出高さ等を設定するのであれば、シューズの非着用状態で第１突部３ｃの先端が下部ミッドソール５に当接せず、下部ミッドソール５から離間するようにしてもよい。
【００４１】
また、上記実施形態２では、変形予定部３ｇを後方に凹むように屈曲する箇所としたが、図８（ｂ）に示すように、後方に凹むようにくびれた箇所としてもよいし、図８（ｃ）に示すように、周方向全体が凹むようにくびれた箇所としてもよい。
【００４２】
また、上記実施形態２では、第１突部３ｃの先端を下部ミッドソール５の凹所５ａの底面に密着させたが、接着してもよい。また、上部ミッドソール３と下部ミッドソール５とを一体に形成し、第１突部３ｃの先端を下部ミッドソールの凹所５ａの底面に一体に連続させてもよい。第１突部３ｃの先端を下部ミッドソール５に接着又は一体に形成することにより、第１突部３ｃの先端と下部ミッドソール５との摩擦による異音の発生を防止できる。
【産業上の利用可能性】
【００４３】
本発明は、例えばウォーキングシューズ、ランニングシューズ、インドア競技用シューズ、又は土や芝生の上で行われる球技用シューズ等に適用されるソール構造として産業上の利用が可能である。
【符号の説明】
【００４４】
１      ソール構造
３      第１突部
３ｇ    変形予定部
５      下部ミッドソール
Ｗ１，Ｗ２    寸法
【図１】
2020044267.tif 000003
【図２】
2020044267.tif 000004
【図３】
2020044267.tif 000005
【図４】
2020044267.tif 000006
【図５】
2020044267.tif 000007
【図６】
2020044267.tif 000008
【図７】
2020044267.tif 000009
【図８】
2020044267.tif 000010
【図９】
2020044267.tif 000011